(57)【要約】この電極基板（１）は、生体高分子の識別に用いられる。電極基板（１）は、上面から凹む流路（５０）を有する絶縁性の基板層（２０）と、基板層（２０）の上に配置される金属層（３０）と、可撓性および絶縁性を有するカバー（４０）とを有する。金属層（３０）は、流路（５０）の一部と上下方向に重なる電極部（３３）を有する。カバー（４０）は、流路の上部を覆い、かつ、基板層（２０）の変形に伴って変形する。これにより、流路（５０）内に満たされた液体に異物が混入するのが抑制される。また、流路（５０）内の液体と外部の空間との接触面積を小さくできる。これにより、安定した環境で電極部による電流の計測を行うことができる。
2020095844.tif 000002
【特許請求の範囲】
【請求項１】
生体高分子の識別に用いられる電極基板であって、
上面から凹む流路を有する絶縁性の基板層と、
前記基板層の上に配置され、前記流路の一部と上下方向に重なる電極部を有する金属層と、
前記流路の上部を覆い、可撓性および絶縁性を有するカバーと、
を有し、
前記カバーは、前記基板層の変形に伴って変形する、電極基板。
【請求項２】
請求項１に記載の電極基板であって、
前記カバーの下面は、前記基板層の上面および前記金属層の上面に密着する、電極基板。
【請求項３】
請求項２に記載の電極基板であって、
前記カバーの下面と、前記基板層の上面および前記金属層の上面とは、化学結合により接着される、電極基板。
【請求項４】
請求項１ないし請求項３のいずれかに記載の電極基板であって、
前記基板層は、その下面から上方に向かって押圧されることにより、上方に向かって突出するように屈曲し、
前記カバーは、前記基板層の屈曲に伴って、前記基板層の上面に沿って屈曲する、電極基板。
【請求項５】
請求項１ないし請求項４のいずれかに記載の電極基板であって、
前記カバーは、
上面に設けられた上側開口と下面に設けられた下側開口とを繋ぐカバー流路
を有し、
前記下側開口は、前記電極部と上下に重ならない位置に置いて、前記流路の一部と上下方向に重なる、電極基板。
【請求項６】
請求項１ないし請求項５のいずれかに記載の電極基板であって、
前記電極部は、第１方向に延びる一対の電極を有し、
前記一対の電極の２つの基端部は第１方向に間隔を空けて配置され、
前記一対の電極の２つの先端部は、互いに繋がる、電極基板。
【請求項７】
請求項１ないし請求項５のいずれかに記載の電極基板であって、
前記電極部は、第１方向に延びる一対の電極を有し、
前記一対の電極の２つの基端部は第１方向に間隔を空けて配置され、
前記一対の電極の２つの先端部は、互いに接触する、電極基板。
【請求項８】
請求項６または請求項７に記載の電極基板であって、
前記基板層が、前記電極部と上下方向に重なる位置が上方に向かって突出するように屈曲されると、前記基端部同士の間隔が大きくなる、電極基板。
【発明の詳細な説明】
【技術分野】
【０００１】
本発明は、生体高分子の識別に用いられる電極を有する電極基板に関する。
【背景技術】
【０００２】
従来、原子や分子を測定、観察または識別するために、微細な先端部を有するプローブ（探針）や電極が用いられている。例えば、従来の原子間力顕微鏡（ＡＦＭ）や走査型トンネル顕微鏡（ＳＴＭ）などの走査型プローブ顕微鏡（ＳＰＭ）には、先端の曲率半径が２０ｎｍ以下の先鋭な探針が用いられる。【０００３】
また、従来の微細な先端部を有する電極は、例えば、特定の分子や原子を測定または識別するために用いられる。微細な電極を用いて特定の分子を識別する方法については、例えば、特許文献１に記載されている。【０００４】
特許文献１に記載の単分子識別方法では、電極間距離の短いナノギャップ電極を用いて、電極間を通過する生体高分子を構成する単分子を、トンネル電流を測定することにより識別する。
【先行技術文献】
【特許文献】
【０００５】
【特許文献１】特開２０１５−６４２４８号公報
【発明の概要】
【発明が解決しようとする課題】
【０００６】
特許文献１に記載のように、生体高分子の識別を目的として電極間のトンネル電流を測定する電極は、その先端部が微細に形成されている。また、トンネル電流の計測時には、電極の周囲に生体高分子試料を含む液体を満たす。このとき、当該液体中に試料以外の物質が混入すると、正確に生体高分子のトンネル電流を計測することが困難となる。また、電極が外部環境の影響を受けやすい状態であると、毎回同じ条件でトンネル電流を計測することが困難となる。【０００７】
本発明は、このような事情に鑑みなされたものであり、安定した環境で電流の計測を行うことができる技術を提供することを目的とする。
【課題を解決するための手段】
【０００８】
上記課題を解決するため、本願の第１発明は、生体高分子の識別に用いられる電極基板であって、上面から凹む流路を有する絶縁性の基板層と、前記基板層の上に配置され、前記流路の一部と上下方向に重なる電極部を有する金属層と、前記流路の上部を覆い、可撓性および絶縁性を有するカバーと、を有し、前記カバーは、前記基板層の変形に伴って変形する。【０００９】
本願の第２発明は、第１発明の電極基板であって、前記カバーの下面は、前記基板層の上面および前記金属層の上面に密着する。【００１０】
本願の第３発明は、第２発明の電極基板であって、前記カバーの下面と、前記基板層の上面および前記金属層の上面とは、化学結合により接着される。【００１１】
本願の第４発明は、第１発明ないし第３発明のいずれかの電極基板であって、前記基板層は、その下面から上方に向かって押圧されることにより、上方に向かって突出するように屈曲し、前記カバーは、前記基板層の屈曲に伴って、前記基板層の上面に沿って屈曲する。【００１２】
本願の第５発明は、第１発明ないし第４発明のいずれかの電極基板であって、前記カバーは、上面に設けられた上側開口と下面に設けられた下側開口とを繋ぐカバー流路を有し、前記下側開口は、前記電極部と上下に重ならない位置に置いて、前記流路の一部と上下方向に重なる。【００１３】
本願の第６発明は、第１発明ないし第５発明のいずれかの電極基板であって、前記電極部は、第１方向に延びる一対の電極を有し、前記一対の電極の２つの基端部は第１方向に間隔を空けて配置され、前記一対の電極の２つの先端部は、互いに繋がる。【００１４】
本願の第７発明は、第１発明ないし第５発明のいずれかの記載の電極基板であって、前記電極部は、第１方向に延びる一対の電極を有し、前記一対の電極の２つの基端部は第１方向に間隔を空けて配置され、前記一対の電極の２つの先端部は、互いに接触する。【００１５】
本願の第８発明は、第６発明または第７発明の電極基板であって、前記基板層が、前記電極部と上下方向に重なる位置が上方に向かって突出するように屈曲されると、前記基端部同士の間隔が大きくなる。
【発明の効果】
【００１６】
本願の第１発明から第８発明によれば、流路内に満たされた液体に異物が混入するのが抑制される。また、流路内の液体と外部の空間との接触面積を小さくできる。これにより、安定した環境で電極部による電流の計測を行うことができる。【００１７】
特に、本願の第２発明によれば、流路内に充填された液体が、カバーと基板層との間から漏れるのが抑制される。【００１８】
特に、本願の第３発明によれば、カバーと、基板層および金属層とを、強固に接着できる。【００１９】
特に、本願の第４発明によれば、基板層が屈曲した場合であっても、流路内に充填された液体が、カバーと基板層との間から漏れるのが抑制される。
【図面の簡単な説明】
【００２０】
【図１】第１実施形態に係る電極基板の上面図である。
【図２】第１実施形態に係る電極基板のカバーを除いた上面図である。
【図３】第１実施形態に係る電極基板の断面図である。
【図４】第１実施形態に係る電極基板の部分上面図である。
【図５】第１実施形態に係る電極基板の部分上面図である。
【図６】第１実施形態に係る電極基板の部分上面図である。
【図７】第１実施形態に係る電極基板の部分断面図である。
【図８】第１実施形態に係る電極基板のナノ電極の基端部間の距離の調整を行う際の様子を示した図である。
【図９】第１実施形態に係る電極基板のナノ電極の基端部間の距離の調整を行う際の様子を示した図である。
【図１０】第１実施形態に係る電極基板の押し曲げ時の様子を示した部分断面図である。
【図１１】第１実施形態に係る電極基板を用いた計測処理の全体の流れを示したフローチャートである。
【発明を実施するための形態】
【００２１】
以下、本発明の実施形態について、図面を参照しつつ説明する。なお、本願では、電極基板の厚み方向を上下方向とし、基板層に対して金属層側を上側、金属層に対して基板層側を下側として説明を行っている。しかしながら、電極基板の使用時の向きは必ずしも金属層側を鉛直上向きとしなくてもよい。
【００２２】
＜１．第１実施形態＞
＜１−１．電極基板の構成＞
本発明の第１実施形態に係る電極基板１について、図１〜図７を参照しつつ説明する。図１は、電極基板１の上面図である。図２は、電極基板１のカバー４０を除いた上面図である。図３は、電極基板１の断面図である。図４〜図６は、電極基板１の部分上面図である。図７は、電極基板１の部分断面図である。図１〜図６には、金属線を破断し、一対のナノ電極３３０となった後の電極基板１の様子が示されている。
【００２３】
図１に示すように、電極基板１は、略長方形の板状の基板である。この電極基板１は、生体高分子を構成する単分子の配列や、各単分子を解析するために用いられる。生体高分子を構成する単分子の例として、生体高分子であるタンパク質を構成するアミノ酸、核酸（ＤＮＡ，ＲＮＡ）を構成するヌクレオチド、糖鎖を構成する単糖が挙げられる。具体的には、後述する一対のナノ電極３３０間に電圧を印加した状態でナノ電極３３０間に生体高分子を通過させる。そして、ナノ電極３３０と生体高分子との間に流れるトンネル電流を検知し、検知したトンネル電流を解析することにより、生体高分子を構成する単分子の解析を行う。
【００２４】
図１および図３に示すように、電極基板１は、基板層２０と、金属層３０と、カバー４０とを有する。以下では、電極基板１の長手方向を第１方向と称し、電極基板１の短手方向を第２方向と称する。第２方向は、第１方向と直交する。なお、「直交する」とは、「略直交する」を含むものとする。
【００２５】
基板層２０は、絶縁材料により形成される。本実施形態の基板層２０は、シリコン（Ｓｉ）により形成される。なお、本実施形態の基板層２０は１層構造であるが、本発明はこれに限られない。基板層２０は、本実施形態のように１種類の材料により形成される１層のみから構成されてもよいし、複数の層から構成されてもよい。例えば、基板層２０として、シリコンにより形成された第１層の上にポリイミドにより形成された第２層が重なった２層構造であってもよい。また、基板層２０は、絶縁性の材料により形成されていればよい。基板層２０は、例えば、ポリエチレンテレフタラート樹脂、セラミック、シリコンゴムまたはアルミナ等の、シリコンおよびポリイミド以外の材料により形成されてもよい。
【００２６】
金属層３０は、図１〜図６に示すように、一対の接続用電極部３１と、一対の配線部３２と、計測電極部３３とを有する。一対の接続用電極部３１は、第１方向に互いに離れた位置に配置される。一対の配線部３２はそれぞれ、接続用電極部３１から電極基板１の中央に向かって第１方向に延びる。計測電極部３３は、一対のナノ電極３３０を有する。計測電極部３３の一対のナノ電極３３０は、配線部３２の接続用電極部３１とは反対側の端部から電極基板１の中央に向かって第１方向に延びる。金属層３０のうち、ナノ電極３３０を構成する部分は、例えば、金（Ａｕ）、白金（Ｐｔ）、銀（Ａｇ）、銅（Ｃｕ）、タングステン（Ｗ）等の金属により形成される。
【００２７】
本実施形態では、図７に示すように、金属層３０は、第１金属層３０１と、第２金属層３０２とにより構成される。第１金属層３０１は、クロム（Ｃｒ）、白金（Ｐｔ）等により形成される。第２金属層３０２は、上記の金（Ａｕ）、白金（Ｐｔ）、銀（Ａｇ）、銅（Ｃｕ）、タングステン（Ｗ）等の金属により形成される。
【００２８】
接続用電極部３１および配線部３２は、第１金属層３０１と第２金属層３０２の両方により構成される。一方、計測電極部３３は第２金属層３０２のみから構成される。なお、この実施形態では、例えば、第１金属層３０１の厚みは約１〜１０ｎｍ、第２金属層３０２の厚みは約５０〜３００ｎｍである。
【００２９】
基板層２０および金属層３０の最上面は、絶縁膜（図示せず）により覆われている。金属層３０の表面を絶縁膜で覆うことにより、計測電極部３３を液中で用いる場合に、金属層３０のうち計測電極部３３以外の箇所において、金属層３０を構成する金属と液体との間における電子のやりとりが生じるのを抑制できる。本実施形態では、絶縁膜はＴＥＯＳ酸化膜である。絶縁膜は、絶縁性の材料であれば、アルミナや、その他の材料により形成されてもよい。なお、接続用電極部３１の上面の少なくとも一部には、絶縁膜が形成されない。このため、接続用電極部３１の上面の少なくとも一部は露出している。接続用電極部３１の当該露出面は、計測電極部３３を用いた生体高分子のトンネル電流計測時などにおいて、後述する電源９４と電気的に接続される。
【００３０】
配線部３２は、接続用電極部３１から計測電極部３３へ向かうにつれて次第にその幅が小さくなる。ただし、図４および図５に示すように、計測電極部３３の近傍においては、配線部３２の幅は略一定である。本実施形態では、配線部３２の当該部位の幅は、例えば、約８μｍである。また、計測電極部３３のごく近傍において、配線部３２は、計測電極部３３へ向かって幅が次第に小さくなるテーパ状となっている。
【００３１】
計測電極部３３を構成する一対のナノ電極３３０は、配線部３２と繋がる基端部３３１から、略一定の幅で第１方向に延びる。本実施形態では、計測電極部３３の当該略一定幅の部位の幅は、例えば、約４００ｎｍである。また、ナノ電極３３０の先端部３３２付近では、その幅が次第に小さくなる。本実施形態の電極基板１は、繋がった金属線を破断することにより一対のナノ電極３３０を形成させるものである。なお、金属線の破断方法については、後述する。
【００３２】
破断前において、計測電極部３３を構成する金属線は、その中央部に向かうにつれて第２方向の幅が次第に狭くなる幅狭部を有している。当該幅狭部の最小幅は、例えば約８０ｎｍとされる。そして、金属線の両端部の第１方向の間隔を大きくすることにより、当該幅狭部が破断し、２つの計測電極部３３が形成される。このため、破断前の当該幅狭部に相当する部分が、破断後の一対のナノ電極３３０の先端部３３２となる。図６および図７に示すように、破断後、すなわち計測電極部３３形成後において、初期状態（電極基板１が曲げられていない自然な状態）では、一対のナノ電極３３０の先端部３３２同士が接触している。
【００３３】
図４に示すように、基板層２０は、上面から下方へ凹む流路５０を有する。流路５０は、第１流路５１、第２流路５２および計測流路５３を有する。第１流路５１および第２流路５２は、計測電極部３３を挟んで第２方向に対向して配置される。計測流路５３は、第２方向に延びる溝である。計測流路５３は、第１流路５１と第２流路５２を第２方向に繋ぐ。
【００３４】
第１流路５１および第２流路５２は、格子状に繋がる複数の溝により構成される。第１流路５１および第２流路５２に生体高分子を含む液体が充填されると、各生体高分子が溝の延びる方向に沿って配置されやすくなる。したがって、第１流路５１および第２流路５２と計測流路５３との境界部で生体高分子が詰まって液体の流動性が低下するのが抑制されるとともに、計測流路５３内において各生体高分子が計測流路５３の延びる方向に沿って配置される。第１流路５１および第２流路５２の各溝は、例えば、幅が約１μｍであり、深さが約２μｍである。
【００３５】
計測流路５３は、第２方向に沿って延びる。計測電極部３３の先端部３３２は、計測流路５３と上下に重なる位置に配置される。したがって、一対のナノ電極３３０の先端部同士の間に間隙が形成された場合、計測流路５３内を第２方向に移動する生体分子の一部は、計測電極部３３の一対のナノ電極３３０間を通過する。
【００３６】
計測流路５３の深さは、例えば、第１流路５１および第２流路５２と同様、約２μｍである。計測流路５３は、第１流路５１および第２流路５２とそれぞれ繋がる２つの導入溝５３１と、２つの導入溝５３１を繋ぐ計測溝５３２とを有する。
【００３７】
導入溝５３１の幅は略一定である。導入溝５３１の幅は、例えば、約８００ｎｍである。計測溝５３２は、それぞれの導入溝５３１から計測電極部３３の直下に向かうにつれて、次第に幅が狭くなる。計測溝５３２は、計測電極部３３の直下において、最も幅が狭くなる。当該部位において、計測溝５３２の幅は、例えば、約１００ｎｍである。計測流路５３が計測電極部３３に向かって幅が狭くなる計測溝５３２を有することにより、計測電極部３３の破断後の電流値計測時に、生体分子が、計測流路５３の延びる第２方向に沿う向きで、２つの計測電極部３３の間を通過しやすい。
【００３８】
計測溝５３２は、図７に示すように、上方に向かうにつれて第１方向の幅が徐々に大きくなるＶ字状の断面を有する。なお、計測溝５３２の断面形状はＶ字状に限られない。計測溝５３２の断面形状は、Ｕ字状などの他の形状であってもよい。
【００３９】
図１に示すように、カバー４０は、流路５０の上部を覆う。カバー４０は、可撓性および絶縁性を有する。ここで、「カバー４０が可撓性を有する」とは、具体的には、カバー４０が基板層２０よりも可撓性が高いことを意味する。
【００４０】
本実施形態のカバー４０は、シリコンゴムの一種であるＰＤＭＳ（ジメチルポリシロキサン）により形成される。なお、カバー４０は、可撓性および絶縁性を有する材料であれば、その他のシリコンゴムや、ＰＥＴ樹脂や、その他の材料により形成されてもよい。
【００４１】
カバー４０が流路５０の全体を覆うことにより、流路５０内に満たされた液体に異物が混入するのが抑制される。したがって、計測電極部３３による電流の計測時に、誤って異物のトンネル電流を計測してしまうことを抑制できる。また、流路５０内に満たされた液体と外部の空間との接触面積が大きいと、計測電極部３３による電流の計測時に計測環境が不安定となり、計測誤差が大きくなる虞がある。カバー４０により流路５０内の液体と外部の空間との接触面積を小さくすることにより、安定した環境で計測電極部３３による電流の計測を行うことができる。
【００４２】
カバー４０の下面は、基板層２０の上面および金属層３０の上面に密着する。これにより、流路５０内に充填された液体が、カバー４０と基板層２０および金属層３０との間から漏れるのが抑制される。また、カバー４０が基板層２０よりも可撓性が高く、かつ、カバー４０の下面と基板層２０の上面とが密着されることにより、カバー４０が、基板層２０の変形に伴って変形する。すなわち、カバー４０は、基板層２０の屈曲に伴って、基板層２０の上面に沿って屈曲する。これにより、後述する押し上げ具９３で基板層２０を屈曲させた場合であっても、流路５０内に充填された液体が、カバー４０と基板層２０との間から漏れるのが抑制される。本実施形態では、カバー４０の下面は、金属層３０の上面とも密着する。これにより、カバー４０と基板層２０との密着性がより向上する。
【００４３】
さらに、本実施形態では、カバー４０の下面と基板層２０の上面とが接着される。本実施形態では、カバー４０の下面と、基板層２０および金属層３０の上面とは、化学結合により接着される。カバー４０と基板層２０および金属層３０との接着時には、それぞれの接着面にプラズマを照射して接着面の分子の化学結合を切断する。そして、接着面同士を密着させることにより、カバー４０の下面と、基板層２０および金属層３０の上面とが化学結合により接着する。このように、化学結合によって接着することにより、カバー４０と、基板層２０および金属層３０とを、強固に接着できる。なお、カバー４０と、基板層２０および金属層３０とは、接着剤等の他の方法により接着されてもよい。
【００４４】
本実施形態の基板層２０はシリコンにより形成され、金属層３０の上面にはシリコン（珪素）原子を含むＴＥＯＳ（正珪酸四エチル、テトラエトキシシラン）の酸化膜が形成されている。一方、カバー４０はシリコンゴムにより形成されるため、カバー４０は、基板層２０と、金属層３０の上面に形成された酸化膜とに対して化学結合しやすい。なお、金属層３０上に形成される酸化膜は、二酸化珪素（シリカ）であっても、シリコンゴムで形成されたカバー４０と化学結合しやすい。
【００４５】
カバー４０の内部には、液体を充填可能な第１カバー流路４１および第２カバー流路４２が設けられている。第１カバー流路４１および第２カバー流路４２はそれぞれ、カバー４０の上面に設けられた２つの上側開口４３と、カバー４０の下面に設けられた１つの下側開口４４とを有する。第１カバー流路４１の下側開口４４は、第１流路５１の一部と上下方向に重なる。これにより、第１カバー流路４１と第１流路５１とは連通する。第２カバー流路４２の下側開口４４は、第２流路５２の一部と上下方向に重なる。これにより、第２カバー流路４２と第２流路５２とは連通する。
【００４６】
このような構成により、カバー４０の上側開口４３へと生体高分子試料を含む液体を注入することにより、基板層２０の流路５０内に当該液体を満たすことができる。
【００４７】
＜１−２．電極基板の押し曲げによるナノ電極の間隔調整について＞
次に、電極調整装置９を用いた電極基板１の押し曲げによるナノ電極３３０の基端部３３１同士の間隔の調整について説明する。図８および図９は、計測電極部３３の基端部３３１間の距離の調整を行う際の様子を示した図である。図８は、電極調整装置９にセットされた電極基板１の初期状態における様子を示した側面図である。図９は、電極調整装置９にセットされた電極基板１の押し曲げ時における様子を示した側面図である。図１０は、押し曲げ時の様子を示した電極基板１の部分断面図である。
【００４８】
図８および図９に概念的に示すように、電極調整装置９は、載置台９１と、固定具９２と、押し上げ具９３と、電源９４と、電流計９５と、制御部９０とを有する。
【００４９】
載置台９１は、電極基板１を載置する平らな上面を有する。本実施形態の固定具９２は、第１方向に対して略垂直に配置される４つの板状部材である。固定具９２は、第１方向の２箇所において、電極基板１を上下から押さえて固定する。電極基板１は、固定具９２による２つの固定箇所の中央に計測電極部３３が位置するように、配置される。押し上げ具９３は、半球状の上面を有する円柱状の部材である。押し上げ具９３は、モータおよびピエゾ素子等を有する昇降機構（図示省略）に接続されている。電極基板１は、押し上げ具９３の最も上方に突出した部分の真上に計測電極部３３が位置するように、配置される。なお、昇降機構は、押し上げた高さを制御できる機構であれば、その他の動力を用いた機構であってもよい。
【００５０】
電極基板１の押し曲げ時（計測電極部３３の基端部３３１同士の間隔の調整時）と、計測電極部３３を用いた生体高分子のトンネル電流計測時とにおいて、電源９４は、一対の接続用電極部３１に対して電圧を印加する。電源９４が一対の接続用電極部３１に対して電圧を印加すると、当該電圧によって、計測電極部３３の一対のナノ電極３３０間に電流が流れる。そして、電流計９５は、計測電極部３３に流れる当該電流の電流値を計測する。
【００５１】
制御部９０は、押し上げ具９３、電源９４および電流計９５とそれぞれ電気的に接続し、各部を制御する。制御部９０には、例えば、コンピュータが用いられる。
【００５２】
電極基板１を電極調整装置９にセットする際には、まず、載置台９１上に電極基板１を載置する。その後、電極基板１に負荷のかからない状態で電極基板１を上下から４つの固定具９２で固定する。このように電極基板１に負荷のかからない状態を初期状態と称する。
【００５３】
押し曲げ時には、図９に示すように、昇降機構により、押し上げ具９３が上方へと移動する。これにより、電極基板１の計測電極部３３付近が下面側から押し上げられる。電極基板１の基板層２０は、その下面から上方に向かって押圧されることにより、上方に向かって突出するように屈曲する。そして、カバー４０は、基板層２０の屈曲に伴って、基板層２０の上面に沿って屈曲する。
【００５４】
このように電極基板１が押し曲げられて変形すると、図１０中に実線矢印で示すように、計測溝５３２を構成する基板層２０の側壁が、互いに離れる方向へと移動する。これにより、ナノ電極３３０の２つの基端部３３１は、互いに離れる方向へと移動する。その結果、ナノ電極３３０の基端部３３１同士の間隔が拡がる。なお、金属線を破断してナノ電極３３０を形成する場合には、例えば、電極基板１の押し上げを複数回繰り返すことによって、金属線の端部（後のナノ電極３３０の基端部３３１）同士の間隔を広げて金属線を引き伸ばし、金属線を破断させる。
【００５５】
押し曲げ時には、固定具９２の間において、計測電極部３３付近を中心として電極基板１の上面が第１方向にも第２方向にも伸びる力が加わる。これにより、図１０中に破線矢印で示すように、一対のナノ電極３３０の基端部３３１は、第１方向に互いに離れる。これにより、基端部３３１同士の間隔が大きくなる。なお、この電極基板１では、計測電極部３３の直下に第２方向に延びる溝である計測流路５３が配置されるため、図１０中に実線矢印で示すように、計測流路５３の底面を中心として、計測流路５３を構成する側壁が、第１方向へ大きく開く。このため、基端部３３１同士の間隔を大きく変更しやすい。
【００５６】
このような電極基板１の押し曲げを、電源９４により接続用電極部３１間に電圧を印加した状態で行う。このようにすると、電流計９５で計測された電流値から、計測電極部３３同士が接触しているか否かを判断できる。なお、制御部９０は、電流計９５で計測された電流を、電流増幅器を用いて増幅してから取得してもよい。
【００５７】
＜１−３．生体高分子のトンネル電流計測処理までの流れ＞
続いて、ナノ電極３３０の形成前の電極基板１を用いて、生体高分子のトンネルの計測処理を行うまでの処理の流れについて、図１１を参照しつつ説明する。図１１は、電極基板１を用いた計測処理の全体の流れを示したフローチャートである。
【００５８】
まず、ナノ電極３３０形成前の電極基板１を電極調整装置９にセットする（ステップＳ０）。本実施形態では、ステップＳ０の前に、電極基板１の流路５０に、計測対象である生体高分子試料を含む液体が満たされている。そして、ステップＳ０の後のステップＳ１〜ステップＳ４の間、制御部９０は、電源９４により接続用電極部３１間に一定の電圧を印加しつつ、電流計９５による電流値の計測を行う。
【００５９】
ステップＳ０が完了した後、ナノ電極３３０を形成するために、配線部３２間を繋ぐ金属線を破断させる、破断処理を実行する（ステップＳ１）。具体的には、制御部９０が、押し上げ具９３の押し上げおよび引き下げを複数回繰り返す。そして、電流計９５から計測された電流値が所定の閾値以下となった場合、金属線が破断され、ナノ電極３３０が形成されたと判断できる。なお、予めナノ電極３３０が形成された電極基板１を用いてもよい。その場合は、ステップＳ１の破断処理を省略できる。
【００６０】
次に、ナノ電極３３０の先端部３３２の先鋭化処理を実行する（ステップＳ２）。具体的には、先端部３３２同士の接触と離間を繰り返すことにより、ナノ電極３３０の先端部３３２が先鋭化される。これにより、ナノ電極３３０間を流れる電流の電流値から、ナノ電極３３０間の距離や、ナノ電極３３０間を通過する生体高分子のトンネル電流値を正確に計測することができるようになる。
【００６１】
続いて、ナノ電極３３０間の距離をより正確に把握するために、校正処理を実行する（ステップＳ３）。具体的には、ナノ電極３３０同士が接触しない範囲で、押し上げ具９３の押し上げおよび引き下げを複数回繰り返す。そして、押し上げ具９３の操作量と、ナノ電極３３０間を流れる電流の電流値との関係から、押し上げ具９３の操作量と、ナノ電極３３０間の距離との関係を算出する。これにより、ナノ電極３３０間の距離をより正確に調整可能となる。
【００６２】
そして、ナノ電極３３０間の距離を所定の間隔として、ナノ電極３３０間を通過する生体高分子のトンネル電流の計測処理を実行する（ステップＳ４）。
【００６３】
＜２．変形例＞
以上、本発明の一実施形態について説明したが、本発明は、上記の実施形態に限定されるものではない。
【００６４】
上記の実施形態では、電極基板の有する金属層が、外部から電力が入力される接続用電極間を一対のみ有したが、本発明はこれに限られない。１つの電極基板が、外部から電力が入力される電極を複数対有していてもよい。例えば、第１流路と第２流路との間に電気泳動用の電圧を印加してもよい。
【００６５】
また、上記の実施形態では、計測電極部の破断処理、先鋭化処理および校正処理と、計測電極部を用いた生体高分子のトンネル電流計測処理とを連続して行ったが、本発明はこれに限られない。各処理はそれぞれ別々に行われてもよい。
【００６６】
また、上記の実施形態では、電極基板の流路に生体高分子試料を含む液体が満たされた状態で先鋭化処理を行ったが、本発明はこれに限られない。試料を含まない水等の液体が流路内に満たされた状態で先鋭化処理を行ってもよい。
【００６７】
また、上記の実施形態や変形例に登場した各要素を、矛盾が生じない範囲で、適宜に組み合わせてもよい。
【符号の説明】
【００６８】
１  電極基板
２０  基板層
３０  金属層
３３  計測電極部
４０  カバー
４１  第１カバー流路
４２  第２カバー流路
４３  上側開口
４４  下側開口
５０  流路
３３０  ナノ電極
３３１  基端部
３３２  先端部
【図１】
2020095844.tif 000003
【図２】
2020095844.tif 000004
【図３】
2020095844.tif 000005
【図４】
2020095844.tif 000006
【図５】
2020095844.tif 000007
【図６】
2020095844.tif 000008
【図７】
2020095844.tif 000009
【図８】
2020095844.tif 000010
【図９】
2020095844.tif 000011
【図１０】
2020095844.tif 000012
【図１１】
2020095844.tif 000013
【国際調査報告】
2020095844.tif 000014
2020095844.tif 000015
2020095844.tif 000016
2020095844.tif 000017
2020095844.tif 000018
2020095844.tif 000019